(57)【要約】【課題】遊技盤が内枠に未保持状態での遊技を未然に防ぐ遊技機を提供する。【解決手段】本発明の遊技機１は、内枠２は、遊技盤３の装着作業を可能とする遊技盤装着可能形態Ａと装着された遊技盤３を保持する遊技盤保持形態Ｂとを選択可能である遊技盤保持部１２を備え、前面枠４には、遊技盤装着可能Ａ時の遊技盤保持部１２に当接して該前面枠４が閉状態となることを阻害し、遊技盤保持形態Ｂ時の前記遊技盤保持部には当接せず該前面枠が閉状態となることを許容する阻害部１７が形成されている。【選択図】  図４
2010148783.tif 000002
【特許請求の範囲】
【請求項１】
遊技盤を装着するための内枠と、該内枠の前面側に開閉可能に設けられた前面枠とを備える遊技機であって、
前記内枠は、遊技盤装着部と、前記遊技盤装着部への前記遊技盤の装着作業を可能とする遊技盤装着可能形態と装着された前記遊技盤を保持する遊技盤保持形態とを選択可能である遊技盤保持部を備え、
前記前面枠には、前記遊技盤装着可能形態時の遊技盤保持部に当接して該前面枠が閉状態となることを阻害し、かつ、前記遊技盤保持形態時の遊技盤保持部には当接せず該前面枠が閉状態となることを許容する阻害部が形成されていることを特徴とする遊技機。
【請求項２】
前記阻害部は、前記前面枠が閉状態において、前記遊技盤保持部の前記遊技盤保持形態から前記遊技盤装着可能形態への移行を阻害するものである請求項１に記載の遊技機。
【請求項３】
前記遊技盤保持部は、前記内枠に回動可能に取り付けられ、回動により前記遊技盤装着可能形態から前記遊技盤保持形態に移行するものであり、
前記阻害部は、前記前面枠が閉状態において、前記遊技盤保持形態となっている前記遊技盤保持部の回動軌跡内に位置し、前記遊技盤保持部の遊技盤装着可能形態への回動を規制するものである請求項１または２に記載の遊技機。
【請求項４】
前記阻害部は、前記前面枠の背面側に設けられ、前記前面枠が閉状態において、前記内枠側に向けて突出する突出部である請求項１ないし３のいずれかに記載の遊技機。
【請求項５】
前面側に遊技領域が形成された遊技盤を装着するための内枠と、該内枠の前面側に開閉可能に設けられた前面枠とを備える遊技機であって、
前記内枠は、遊技盤装着部と、前記遊技盤装着部への前記遊技盤の装着作業を可能とする遊技盤装着可能形態と装着された前記遊技盤を保持する遊技盤保持形態とを選択可能である遊技盤保持部と、前記遊技盤の遊技領域に遊技球を発射する球発射装置とを備え、
前記遊技盤保持部は、前記遊技盤装着可能形態において、前記球発射装置から発射された遊技球の軌道上にその一部が位置して発射された遊技球が遊技領域へ到達することを阻害するとともに、前記遊技盤保持形態では遊技球の軌道上に実質的に位置せず発射された遊技球が遊技領域へ到達することを許容するものとなっていることを特徴とする遊技機。
【請求項６】
前記遊技盤保持部は、発射レールの上方かつファール球通路の上方付近の前記内枠に回動可能に取り付けられ、前記遊技盤装着可能形態では、前記球発射装置から発射された遊技球が衝突して該遊技球をファール球通路に誘導する位置となり、前記遊技盤保持形態では、前記球発射装置から発射された遊技球が衝突せずかつ前記遊技盤を保持する位置となるものである請求項５に記載の遊技機。
【発明の詳細な説明】
【技術分野】
【０００１】
本発明は、内枠と前面枠と遊技盤を有する遊技機に関する。
【背景技術】
【０００２】
従来、遊技盤支持枠の前面より遊技盤を取り付けるタイプの遊技機で、遊技盤を着脱可能に支持する遊技盤支持枠と、遊技盤を遊技盤支持枠に固定するための固定部材と、遊技盤の前面側から固定部材を覆う開閉可能な遮蔽部材とを備え、固定部材が遊技盤を遊技盤支持枠に固定する固定位置と、固定を解除する固定解除位置との間で移動可能とされ、固定解除位置にある場合に固定部材と当接して遮蔽部材が閉鎖状態となるのを阻止する遊技機が開示されている。
【０００３】
【特許文献１】特開２００８−７９８０３公報
【発明の開示】
【発明が解決しようとする課題】
【０００４】
しかしながら、特許文献１の遊技機では、固定部材が固定解除位置にある場合は、遮蔽部材を閉鎖状態となるのを阻止するが、通常の遊技機では、前面枠と遊技盤との間に隙間が存在するため、遮蔽部材が閉鎖状態でなくても前面枠が閉状態となりえる。よって、遊技盤が固定されていなくても遊技が可能となるが、遊技盤が傾くなど安定せず、遊技に支障をきたすことがあった。遊技盤が固定状態ではないことによる不具合、例えば、内枠の盤面と遊技盤とにズレを生じ、発射する遊技球が遊技者が意図した発射位置に到達しないという支障を生じるという問題があった。
【０００５】
また、閉鎖状態にない遮蔽部材が前面枠の閉状態への移動の際に当たって、その衝撃により破損する可能性がある。このため、遊技盤組み付け時や遊技盤交換時など遮蔽部材を常に気にしながら作業することになり、作業効率を悪化させる原因となっていた。さらに、破損した場合、部品交換を行わなければならず、作業効率を一層悪化させるとともに、コストがかかってしまうという問題があった。
【０００６】
本発明の目的は、このような問題に鑑みてなされたものであり、固定部材による遊技盤の未固定状態のまま前面枠が閉状態となることを阻害し、遊技盤の内枠への未固定状態での遊技を防止することができる遊技機を提供するものである。
【０００７】
また、本発明の目的は、このような問題に鑑みてなされたものであり、固定部材による遊技盤の未固定状態では、遊技球の遊技盤の遊技領域への到達を阻害し、遊技盤の内枠への未固定状態での遊技を防止することができる遊技機を提供するものである。
【課題を解決するための手段】
【０００８】
上記目的を達成するものは、以下（１）から（６）を特徴とする遊技機である。
（１）  遊技盤を装着するための内枠と、該内枠の前面側に開閉可能に設けられた前面枠とを備える遊技機であって、
前記内枠は、遊技盤装着部と、前記遊技盤装着部への前記遊技盤の装着作業を可能とする遊技盤装着可能形態と装着された前記遊技盤を保持する遊技盤保持形態とを選択可能である遊技盤保持部を備え、
前記前面枠には、前記遊技盤装着可能形態時の遊技盤保持部に当接して該前面枠が閉状態となることを阻害し、かつ、前記遊技盤保持形態時の遊技盤保持部には当接せず該前面枠が閉状態となることを許容する阻害部が形成されていることを特徴とする。
（２）前記阻害部は、前記前面枠が閉状態において、前記遊技盤保持部の前記遊技盤保持形態から前記遊技盤装着可能形態への移行を阻害するものである。
（３）前記遊技盤保持部は、前記内枠に回動可能に取り付けられ、回動により前記遊技盤装着可能形態から前記遊技盤保持形態に移行するものであり、
前記阻害部は、前記前面枠が閉状態において、前記遊技盤保持形態となっている前記遊技盤保持部の回動軌跡内に位置し、前記遊技盤保持部の遊技盤装着可能形態への回動を規制するものである。
（４）前記阻害部は、前記前面枠の背面側に設けられ、前記前面枠が閉状態において、前記内枠側に向けて突出する突出部である。
【０００９】
（５）前面側に遊技領域が形成された遊技盤を装着するための内枠と、該内枠の前面側に開閉可能に設けられた前面枠とを備える遊技機であって、
前記内枠は、遊技盤装着部と、前記遊技盤装着部への前記遊技盤の装着作業を可能とする遊技盤装着可能形態と装着された前記遊技盤を保持する遊技盤保持形態とを選択可能である遊技盤保持部と、前記遊技盤の遊技領域に遊技球を発射する球発射装置と、を備え、
前記遊技盤保持部は、前記遊技盤装着可能形態において、前記球発射装置から発射された遊技球の軌道上にその一部が位置して発射された遊技球が遊技領域へ到達することを阻害するとともに、前記遊技盤保持形態では遊技球の軌道上に実質的に位置せず発射された遊技球が遊技領域へ到達することを許容するものとなっていることを特徴とする。
（６）前記遊技盤保持部は、発射レールの上方かつファール球通路の上方付近の前記内枠に回動可能に取り付けられ、前記遊技盤装着可能形態では、前記球発射装置から発射された遊技球が衝突して該遊技球をファール球通路に誘導する位置となり、前記遊技盤保持形態では、前記球発射装置から発射された遊技球が衝突せずかつ前記遊技盤を保持する位置となるものである。
【発明の効果】
【００１０】
そして、前記（１）の遊技機によれば、前記遊技盤保持部が遊技盤装着可能形態時に、前面枠を閉じると、前面枠の阻害部が前記遊技盤保持部に当接して前面枠が閉状態となるのを阻止し、前記遊技盤保持部が遊技盤保持形態時に、前面枠を閉じると、前面枠の阻害部が前記遊技盤保持部には当接せず該前面枠の閉状態となることを許容するので、前記遊技盤保持部が前記遊技盤保持形態の位置か遊技盤装着可能形態の位置かが容易に判断でき、遊技盤の内枠への未保持状態での遊技を未然に防ぐことができる。
【００１１】
また、この発明の遊技機において、遊技盤保持部が遊技盤保持形態の位置にあり、前面枠が閉状態のとき、前記阻害部が遊技盤保持部の遊技盤保持形態の位置から遊技盤装着可能形態の位置への移行を規制するものであれば、遊技中に径時劣化や衝撃等により遊技盤保持部が遊技盤装着可能形態に移行することを防ぐことができ、確実に遊技盤を保持し続けることができる。さらに、外部から故意に遊技盤保持部を遊技盤装着可能形態に移行させて遊技盤と内枠との間に隙間を設け、ピアノ線やセル等を挿入し不正に遊技球を獲得するといった行為に対する防止も図れる。
【００１２】
また、この発明の遊技機において、前記阻害部が前記前面枠の前記内枠側の面に設けられた突出部であれば、簡単な構造で阻害部を構成できる。よって、部品点数を増やすことなくコストの削減が図れるとともに、設計、組み付け作業等の手間が省ける。
【００１３】
また、この発明の遊技機において、遊技盤保持部が遊技盤保持形態の位置にあり、前面枠が閉状態のとき、遊技盤保持部の遊技盤保持形態の位置から遊技盤装着可能形態の位置への回動軌跡内に前面枠に設けられた阻害部が位置するものであれば、遊技盤保持部の遊技盤保持形態の位置から遊技盤装着可能形態の位置への回動を規制し、遊技中に径時劣化や衝撃等により遊技盤保持部が遊技盤装着可能形態の位置に回動することを防ぐことができ、確実に遊技盤を保持し続けることができる。さらに、外部から故意に遊技盤保持部を遊技盤装着可能形態の位置に回動し、遊技盤と内枠との間に隙間を設け、ピアノ線やセル等を挿入し不正に遊技球獲得するといった行為に対する防止も図れる。
【００１４】
また、前記（５）の遊技機によれば、前記遊技盤保持部は、前記遊技盤装着可能形態において、前記球発射装置から発射された遊技球の軌道上にその一部が位置するようにしたので、遊技球の遊技盤の遊技領域への到達を阻害し、遊技盤の内枠への未保持状態での遊技を防止することができる。そして、発射された遊技球がすべてファール球となることにより、遊技盤の内枠への未保持状態であることを確認できるので、遊技者が意図したところへ遊技球を発射できないという不愉快な思いや、該遊技球がアウト球になってしまうという遊技者に不利になるような状況を未然に防ぐことができる。
【００１５】
また、この発明の遊技機において、遊技盤保持部が、発射レールの上方かつファール球通路の上方付近の前記内枠に回動可能に取り付けられているものであれば、遊技盤保持形態では、遊技球の発射を確実に阻害することがなく、また、遊技盤装着形態では、素早く発射された遊技球をファール球とすることができ、遊技盤保持部の位置が確認できるとともに、遊技者に不愉快な思いをさせることがない。
【発明を実施するための最良の形態】
【００１６】
以下に、この発明の実施形態を図面に基づいて説明する。図１はこの発明の遊技機の正面側斜視図、図２は前面枠を開いた状態の斜視図、図３は、内枠に遊技盤を装着した状態の正面図、図４は、前面枠の阻害部が遊技盤保持部に当接して前面枠閉鎖を阻止した状態の断面図、図５は、前面枠の阻害部が遊技盤保持部に当接して前面枠閉鎖を阻止した状態の正面図、図６は、前面枠の阻害部が遊技盤保持部の側方に位置して前面枠を閉鎖した状態の断面図、図７は、前面枠の阻害部が遊技盤保持部の側方に位置して前面枠を閉鎖した状態の正面図である。
【００１７】
本発明の遊技機１は、遊技盤３を装着するための内枠２と、内枠２の前面側に開閉可能に設けられた前面枠４と、内枠２に装着される遊技盤３とを備える。内枠２は、遊技盤３の装着作業を可能とする遊技盤装着可能形態Ａと装着された遊技盤３を保持する遊技盤保持形態Ｂとを選択可能である遊技盤保持部１２を備える。さらに、前面枠４には、遊技盤装着可能形態Ａ時の遊技盤保持部１２に当接して該前面枠４が閉状態となることを阻害し、かつ、遊技盤保持形態Ｂ時の遊技盤保持部１２には当接せず該前面枠４が閉状態となることを許容する阻害部１７が形成されている遊技機である。
【００１８】
図１乃至図７において、１は遊技機、１０は遊技機１の外形をなす外枠、２は遊技盤３を装着するための内枠、４は内枠２の前面側に開閉可能に設けられた前面枠、３は内枠２に装着される遊技盤である。内枠２は外枠１０に支軸（図示せず）により開閉可能に支承され、かつ前記前面枠４は内枠２に対して支軸６により開閉可能に支承されている。内枠２には、遊技盤３が装着される遊技盤装着部７が形成されている。遊技盤３には、球誘導レール８、釘、図柄表示装置や入賞装置（図示せず）等が備えられている。９は前面枠４の中央の遊技盤３の遊技領域を覆うガラス或いは透明板、１９は球受け皿であり、賞球や貸球を一時的に貯留し、球発射装置２５に遊技球を誘導する上球受け皿１９ａと上球受け皿１９ａから溢れた遊技球を貯留する下球受け皿１９ｂを備えている。１１は遊技球を発射するためのハンドルである。
【００１９】
遊技盤３は、内枠２に取り付けるための挿通孔５を備える。挿通孔５は、遊技盤保持部１２を挿通可能な大きさの長孔として、遊技盤保持部１２を挿通孔５の向きに合わせ遊技盤装着可能形態Ａの位置としたとき遊技盤３を内枠２に着脱可能とする。
挿通孔５は、遊技盤３の自由端側の複数箇所で、遊技盤保持部１２が遊技盤装着可能形態Ａの位置にあるとき挿通可能となるよう形成されている。すなわち、遊技盤装着可能形態Ａの位置は遊技盤保持部１２を遊技盤３の挿通孔５に着脱する位置である。遊技盤保持形態Ｂの位置は、遊技盤保持部１２を挿通孔５に対して交差方向に係合する位置である。
実施形態では、遊技盤３の挿通孔５として、遊技盤３の自由端側の下部に挿通孔５ａが設けられ、かつ遊技盤３の自由端側に側端部を開口した挿通孔５ｂが設けられている。挿通孔５ａは、遊技盤保持部１２の長さと幅より若干大きく形成してあり、遊技盤保持部１２を挿通孔５の長手方向に合わせて着脱可能である。また、遊技盤３の側端部に開口した挿通孔５ｂは長孔の一端を開口したもので、遊技盤保持部１２の長さと幅より若干大きく形成してある。
【００２０】
遊技盤保持部１２は、内枠２に回動可能に取り付けられ、回動操作することにより、遊技盤装着可能形態Ａから遊技盤保持形態Ｂに移行するものである。遊技盤保持部１２は、遊技盤装着可能形態Ａにおいて、挿通孔５を挿通可能でありかつ挿通後に回動操作することにより遊技盤保持形態Ｂとなり、遊技盤３を保持するものである。
【００２１】
具体的には、遊技盤保持部１２は、内枠２に形成された支軸１３に回動可能に軸支されている。遊技盤保持部１２は、遊技盤３の挿通孔５を挿通後に回動操作することにより遊技盤３と係合し、遊技盤３を遊技盤装着部７に保持する。また、遊技盤保持部１２の遊技盤保持形態Ｂの位置は、遊技盤保持部１２が遊技盤３の挿通孔５に対して交差方向の位置で遊技盤３を保持し（図６及び図７参照）、また、遊技盤保持部１２の遊技盤装着可能形態Ａの位置は、遊技盤保持部１２が遊技盤３の挿通孔５に対して同じ方向の位置で遊技盤３を着脱可能とする（図４及び図５参照）。
なお、遊技盤３としては、上記のような挿通孔５を有するものに限定されるものではなく、遊技盤３の周縁部に形成された切欠部であってもよい。また、遊技盤３は、上記のような挿通孔、切欠部を持たず、遊技盤保持部１２は、遊技盤３の周縁部と係合するものであってもよい。
【００２２】
さらに遊技盤保持部１２の遊技盤３と対向する面には、遊技盤３に係合可能な凸状部１２ａが形成され、ほぼ中央には、ビス挿入口１２ｂが設けられている。内枠２には、裏面側に凹状の装着孔１５が設けられ、装着孔１５に支軸１３が固定された装着部材１６が固着されており、支軸１３には遊技盤保持部１２が内枠２と遊技盤保持部１２の間に遊技盤３のほぼ厚み分の間隔をおいて回動可能に取り付けられる。遊技盤保持部１２はビス挿入口１２ｂからビスを支軸１３に螺合して抜け止めされている。また、図示しないが遊技盤保持部１２は、支軸１３との間で遊技盤装着可能形態Ａの位置と遊技盤保持形態Ｂの位置とで保持できるようになっている。
【００２３】
阻害部１７は、遊技盤装着可能形態Ａ時の遊技盤保持部１２に当接し、前面枠４が閉状態となるのことを阻害する。つまり、遊技盤保持部１２が遊技盤装着可能形態Ａでは、前面枠４を完全に閉めることができないものとなっている。これにより、遊技盤３が内枠２(遊技盤装着部７)に保持されていないことが容易に確認できる。なお、阻害部１７は、遊技盤保持形態Ｂ時の遊技盤保持部１２には当接しないものとなっており、遊技盤保持形態Ｂ時（言い換えれば、遊技盤３が内枠２（遊技盤装着部７）に保持されている状態）では、前面枠４が閉状態となることを許容する。
【００２４】
さらに、この実施例の阻害部１７は、前面枠４が閉状態において、遊技盤保持部１２の遊技盤保持形態Ｂの位置から遊技盤装着可能形態Ａの位置への操作を規制するものとなっている。遊技盤保持形態Ｂとなっている遊技盤保持部１２の側部に位置し、遊技盤保持部１２の遊技盤装着可能形態への回動を規制するものである。言い換えれば、遊技盤保持部１２の回動軌跡内に阻害部１７が位置しており、遊技盤保持部１２の遊技盤保持形態Ａから遊技盤装着可能形態Ｂへの回動を規制している。
【００２５】
阻害部１７は、前面枠４が閉状態で前面枠４の内枠側の面すなわち背面側に内枠２の方向に突出して設けられた突出部により形成されている。阻害部１７としては、板状部、棒状部、膨出部などの形態が好ましい。阻害部１７が遊技盤保持部１２に当接すると前面枠４が閉状態となることが阻害され、内枠２に閉じないで離間した状態を保持する。阻害部１７は、前面枠４の他の面より突出して設けられる。阻害部１７の長さは、阻害部１７の先端が遊技盤装着可能形態Ａの位置に存在する遊技盤保持部１２に当接するとき、前面枠４が閉状態となるのを阻止できる長さとし、かつ遊技盤保持部１２が遊技盤保持形態Ｂの位置にある時は、内枠２の遊技盤３の近くまで臨ませる長さとして遊技盤保持部１２の回動を規制する。阻害部１７は、前面枠４を内枠２に閉鎖したとき、遊技盤３の表面に丁度当接する長さとすることもできる。
【００２６】
阻害部１７を前面枠４の背面側に設ける位置は、図示の位置に限るものではなく、前面枠４の背面側の適所に遊技盤保持部１２の位置に対応して設けることもできる。阻害部１７は、前面枠４の背面側に設けられた部品と一体に成型されているが、これに限るものではなく、別体として前面枠の背面側に組み付けることもできる。
【００２７】
この発明は上記構造としたので、遊技盤保持部１２の遊技盤装着可能形態Ａ時では、前面枠４が閉状態となることを阻害し、遊技盤保持部１２の遊技盤保持形態Ｂ時では、前面枠４が閉状態となることを許容するので、遊技盤保持部１２が遊技盤保持形態Ｂの位置か遊技盤装着可能形態Ａの位置かが容易に判断できる。
【００２８】
また、この実施例では、遊技盤保持部１２が遊技盤保持形態Ｂの位置にあり、前面枠４が閉状態のとき、阻害部１７が遊技盤保持部１２の遊技盤保持形態Ｂの位置から遊技盤装着可能形態の位置への移行を規制する。
【００２９】
本実施例では、遊技盤保持部１２に凸状部１２ａを一体に成形したが、これに限られるものではなく、凸状部１２ａを別部材とし、遊技盤保持部１２とリンクする形態でもよい。このときでも、阻害部１７は遊技盤保持部１２に当接するように設定しておけば同様な効果を得ることができる。
【００３０】
次に、本発明の他の態様の遊技機について説明する。
この対応の遊技機１は、遊技盤３を装着するための内枠２と、内枠２の前面側に開閉可能に設けられた前面枠４と、内枠２に装着され、前面側に遊技領域が形成された遊技盤３とを備える。内枠２は、遊技盤装着部７と、遊技盤装着部７への遊技盤３の装着作業を可能とする遊技盤装着可能形態Ｃと装着された遊技盤３を保持する遊技盤保持形態Ｄとを選択可能である遊技盤保持部２０と、遊技盤３の遊技領域に遊技球を発射する球発射装置２５とを備えている。そして、遊技盤保持部２０は、遊技盤装着可能形態Ｃにおいて、球発射装置２５から発射された遊技球の軌道上にその一部が位置して発射された遊技球が遊技領域へ到達することを阻害するとともに、遊技盤保持形態Ｄでは遊技球の軌道上に実質的に位置せず発射された遊技球が遊技領域へ到達することを許容するものとなっている。遊技盤保持部２０は、遊技盤装着可能形態Ｃにおいて、遊技球の軌道上にその一部が位置するため、遊技盤装着可能形態Ｃ時における遊技球の遊技盤３の遊技領域への到達を阻害する。
なお、図示する実施例では、上記の遊技盤保持部２０を備えるとともに、遊技盤保持部１２に当接可能な阻害部１７の両者を備えるものとなっている。
【００３１】
図面を用いて、本態様の遊技機について説明する。
図１はこの発明の遊技機の正面側斜視図、図２は前面枠を開いた状態の斜視図、図３は、内枠に遊技盤を装着した状態の正面図、図８は、遊技盤保持部が遊技盤保持形態の位置の状態の内枠の要部正面図、図９は、遊技盤保持部が遊技盤装着可能形態の位置にある状態の内枠の要部正面図、図１０は、図９の一点鎖線の箇所を拡大して示す正面図、図１１は、図１０のＸ−Ｘ断面図である。
図１ないし図３、図８ないし図１１において、２５は内枠に備えられる遊技球を発射する球発射装置、２６は遊技球発射レール、２８はファール球通路、２９は遊技盤３の下部に設ける切り欠き段部、３０は切り欠き段部２９の下方の空間部である。
【００３２】
本発明の遊技機１は、内枠２は、遊技盤装着部７と、遊技盤装着部７への遊技盤３の装着作業を可能とする遊技盤装着可能形態Ｃと装着された遊技盤３を保持する遊技盤保持形態Ｄとを選択可能である遊技盤保持部２０と、遊技盤３の遊技領域に遊技球を発射する球発射装置２５とを備えている。
遊技盤保持部２０は、内枠２に回動可能に取り付けられ、回動操作することにより、遊技盤装着可能形態Ｃら遊技盤保持形態Ｄに移行するものである。遊技盤保持部２０は、遊技盤装着可能形態Ｃにおいて、球発射装置２５から発射された遊技球の軌道上にその一部が位置して発射された遊技球が遊技領域へ到達することを阻害するとともに、遊技盤保持形態Ｄでは遊技球の軌道上に実質的に位置せず発射された遊技球が遊技領域へ到達することを許容するものとなっている。
また、この実施例では、遊技盤保持部２０は、発射レールの上方かつファール球通路の上方付近の内枠に回動可能に取り付けられている。
【００３３】
遊技盤保持部２０は、その一部である一端部２０ａに遊技盤３に係合する保持部２０ｂと軌道を通過する遊技球が衝突する衝突部２０ｄを兼ねるものである。遊技盤保持部２０は、遊技盤３の下方でファール球通路２８の上方付近の内枠２に回動可能に支軸２１で軸支され、一端部２０ａが球発射装置２５から発射された遊技球が衝突部２０ｄに衝突しファール球通路２８に誘導する遊技盤装着可能形態Ｃの位置と、一端部２０ａが球発射装置２５から発射された遊技球が衝突部２０ｄに衝突しないで遊技盤３に係合する遊技盤保持形態Ｄの位置とに切り替え可能としたものである。
【００３４】
また、内枠２には、遊技盤保持部２０を発射された遊技球が衝突して該遊技球をファール球通路２８に誘導する位置（遊技盤装着可能形態Ｃ）と、発射された遊技球が衝突しないで遊技盤３に係合する位置（遊技盤保持形態Ｄ）において保持可能とした凸状部１８を設けるのが好ましい。
【００３５】
図１ないし図３、図８ないし図１１において、遊技盤３は、底面の中央付近に切り欠き段部２９が形成されて、内枠２には切り欠き段部２９の下方に空間部３０が設けられる。切り欠き段部２９は、遊技盤保持部２０を配置するために、遊技盤３の底面に横方向の直線部と円弧部が形成されている。空間部３０の下方で、球発射装置２５から発射された遊技球の軌道の下方で発射レール２６の中途部に縦方向にファール球通路２８が形成されている。また、ファール球通路２８に誘導された遊技球は、下球受け皿１９ｂに誘導されるようになっている（図１参照）。
遊技盤保持部２０は、一端部２０ａが切り欠き段部２９の下方の空間部３０で軌道を塞ぐ軌道遮蔽部となり、かつ遊技盤３の切り欠き段部２９に係合する係合部となるものである。遊技盤保持部２０の一端部２０ａは空間部３０で軌道を塞ぐことができる長さであり、かつ遊技盤３の切り欠き段部２９に係合できる長さとする。遊技盤保持部２０の一端部２０ａは、遊技盤側に長凸状の保持部２０ｂを形成して遊技盤３に係合保持しやすくしてある。遊技盤保持部２０は遊技盤３の下部の切り欠き段部２９の下方で、発射レール２６の遊技球の軌道と、ファール球通路２８の上方に設けられる空間部３０に支軸２１で回動自由に軸支されている（図３、図１１参照。）。
遊技盤保持部２０の遊技盤装着可能形態Ｃの位置は、遊技盤保持部２０が遊技盤３の切り欠き段部２９の下方の空間部３０に沿って平行となり、遊技盤保持部２０の一端部２０ａが球発射装置２５から発射された遊技球の軌道上に位置して、発射された遊技球が遊技盤保持部２０の衝突部２０ｄに衝突し、遊技球をファール球通路２８へ誘導可能とする。
遊技盤保持部２０の遊技盤保持形態Ｄの位置は、遊技盤保持部２０の一端部２０ａが斜め上方に回動されて、切り欠き段部２９に対して交差状として係合される位置であり、遊技盤３の下部を保持する。
【００３６】
図１１に示すように、実施形態では、遊技盤保持部２０は、内枠２に設けた筒状の支軸２１に回動自由に軸支され、遊技盤保持部２０に段付きビス挿入口２０ｃが設けられ、ビス挿入口２０ｃの段とビス２２の頭部間にコイルばね２３が装着され、遊技盤保持部２０がコイルばね２３の付勢力で内枠２側に常時押圧されている。また、遊技盤保持部２０には、内枠側に凸部２０ｅが形成されている。内枠２には支軸２１を中心とする遊技盤保持部２０の凸部２０ｅの回動軌跡内に凸部２０ｂを遊技盤保持形態Ｄの位置と遊技盤装着可能形態Ｃの位置に留めるために上部と中央と下部に所定の間隔をおいて凸状部１８ａ、１８ｂ、１８ｃが放射状に形成されている。各形態に切り替えは、遊技盤保持部２０をコイルばね２３の付勢力に抗して前方側に引っ張り、所定の位置（各凸状部の間）に回動させ、付勢力を利用し内枠２側に戻すことで可能となる。また、コイルばね２３の付勢力によって遊技盤保持形態Ｄの位置では凸部２０ｅが凸状部１８ａと１８ｂとの間に留められ、遊技盤装着可能形態Ｃの位置では凸部２０ｅが凸状部１８ｂと１８ｃとの間に留められるので、発射された遊技球が衝突しても容易に形態が変化することがない。
以上の実施形態を示したが、この発明はこの形態に限定されるものではなく、この発明の要旨を逸脱しない範囲で、種々の形態を実施しうるものである。
【図面の簡単な説明】
【００３７】
【図１】図１は、この発明の遊技機の正面側斜視図である。
【図２】図２は、前面枠を開いた状態の斜視図である。
【図３】図３は、内枠に遊技盤を装着した状態の正面図である。
【図４】図４は、前面枠の阻害部が遊技盤保持部に当接して前面枠閉鎖を阻止した状態（遊技盤装着可能形態Ａ）の断面図である。
【図５】図５は、前面枠の阻害部が遊技盤保持部に当接して前面枠閉鎖を阻止した状態（遊技盤装着可能形態Ａ）の正面図である。
【図６】図６は、前面枠の阻害部が遊技盤保持部の側方に位置して前面枠を閉鎖した状態（遊技盤保持形態Ｂ）の断面図である。
【図７】図７は、前面枠の阻害部が遊技盤保持部の側方に位置して前面枠を閉鎖した状態（遊技盤保持形態Ｂ）の正面図である。
【図８】図８は、遊技盤保持部が遊技盤保持形態Ｄの位置の状態の内枠の要部正面図である。
【図９】図９は、遊技盤保持部が遊技盤装着可能形態Ｃの位置にある状態の内枠の要部正面図である。
【図１０】図１０は、図９の一点鎖線の箇所を拡大して示す正面図である。
【図１１】図１１は、図１０のＸ−Ｘ線断面図である。
【符号の説明】
【００３８】
１  遊技機
２  内枠
３  遊技盤
４  前面枠
５  挿通孔
７  遊技盤装着部
１０  外枠
１２  遊技盤保持部
１３  支軸
１７  阻害部
２０  遊技盤保持部
２５  球発射装置
２６  遊技球発射レール
２８  ファール球通路
２９  切り欠き段部
３０  空間部
【図１】
2010148783.tif 000003
【図２】
2010148783.tif 000004
【図３】
2010148783.tif 000005
【図４】
2010148783.tif 000006
【図５】
2010148783.tif 000007
【図６】
2010148783.tif 000008
【図７】
2010148783.tif 000009
【図８】
2010148783.tif 000010
【図９】
2010148783.tif 000011
【図１０】
2010148783.tif 000012
【図１１】
2010148783.tif 000013